(57)【要約】ヘッドボックス（１）と、ヘッドボックス（１）から吊下支持され上下方向にジグザグ状に折り畳み可能なスクリーン（２）と、ヘッドボックス（１）から吊下支持されスクリーン（２）を昇降する昇降コード（５）と、ヘッドボックス（１）から吊下支持されスクリーン（２）の折り目の間隔をあらかじめ設定された間隔に保持するピッチ保持コード（６）とを備えるプリーツスクリーンにおいて、昇降コード（５）とピッチ保持コード（６）とはスクリーン（２）の前後に分けて吊下支持され、ピッチ保持コード（６）に複数の保持部（７）が設けられ、保持部（７）がスクリーン（２）を貫通し、保持部（７）に昇降コード（５）が挿通される。
2014038577.tif 000002
【特許請求の範囲】
【請求項１】
ヘッドボックスと、
前記ヘッドボックスから吊下支持され上下方向にジグザグ状に折り畳み可能なスクリーンと、
前記ヘッドボックスから吊下支持され前記スクリーンを昇降する昇降コードと、
前記ヘッドボックスから吊下支持され前記スクリーンの折り目の間隔を保持するピッチ保持コードとを備えるプリーツスクリーンにおいて、
前記昇降コードと前記ピッチ保持コードとが前記スクリーンの前後に分けて吊下支持され、前記ピッチ保持コードに複数の保持部が設けられ、該保持部が前記スクリーンを貫通し、前記保持部に前記昇降コードが挿通されることを特徴とするプリーツスクリーン。
【請求項２】
前記保持部を、前記スクリーンに設けられた複数の挿通孔にそれぞれ挿通したことを特徴とする請求項１記載のプリーツスクリーン。
【請求項３】
前記挿通孔を、前記スクリーンの折り目に設けたことを特徴とする請求項２記載のプリーツスクリーン。
【請求項４】
前記挿通孔を、前記昇降コードと非接触となるように設けたことを特徴とする請求項２記載のプリーツスクリーン。
【請求項５】
前記挿通孔を、前記スクリーンの前記ピッチ保持コード側の折り目に設けたことを特徴とする請求項３又は４記載のプリーツスクリーン。
【請求項６】
前記ピッチ保持コードを、糸を編んで形成した編み組みコードで形成し、前記ピッチ保持コードに編み込んだモノフィラメント糸を一定間隔ごとに環状に露出させて前記保持部を形成したことを特徴とする請求項１乃至５のいずれか１項に記載のプリーツスクリーン。
【請求項７】
前記各保持部を構成する糸を前記ピッチ保持コードから上下方向に一定の間隔を隔てた一対の位置からそれぞれ導出し、前記昇降コードを前記複数の保持部に対し左右方向に交互に挿通したことを特徴とする請求項１乃至６のいずれか１項に記載のプリーツスクリーン。
【請求項８】
前記スクリーンの下端に取着されたボトムレールを更に備え、
前記昇降コードは前記スクリーンの前後に吊下支持された複数本の昇降コードを含み、前記昇降コードの下端に前記ボトムレールが取着され、
前記ボトムレールを吊下支持する複数本の昇降コードを、前記スクリーンの前後方向において互い違いとなるように吊下支持したことを特徴とする請求項１乃至７のいずれか１項に記載のプリーツスクリーン。
【請求項９】
前記ピッチ保持コードと該ピッチ保持コードの保持部に挿通される前記昇降コードとによってコード対が形成され、複数のコード対が前記スクリーンの左右方向に並設され、少なくとも１つのコード対において、前記ピッチ保持コードの保持部を前記スクリーンの一段以上飛ばした折り目に設けられた挿通孔に挿通したことを特徴とする請求項３記載のプリーツスクリーン。
【請求項１０】
前記コード対の数が３以上の場合において、その並設方向の両側のコード対では、前記ピッチ保持コードの保持部を前記スクリーンの全段の折り目に設けた挿通孔に挿通し、それよりも内側のコード対では、その少なくとも１つが前記ピッチ保持コードの保持部を前記スクリーンの一段以上飛ばした折り目に設けた挿通孔に挿通したことを特徴とする請求項９記載のプリーツスクリーン。
【請求項１１】
前記ピッチ保持コードは、所望屈曲部の曲げ強度を他の部分よりも低く構成した曲げ部を備えたことを特徴とする請求項１乃至１０のいずれか１項に記載のプリーツスクリーン。
【請求項１２】
前記ピッチ保持コードへ向かう前記スクリーンの移動を規制する移動規制手段を設けたことを特徴とする請求項１乃至１１のいずれか１項に記載のプリーツスクリーン。
【請求項１３】
前記移動規制手段を、前記ピッチ保持コードの保持部に設けられその保持コードへ向かう前記スクリーンの移動を規制すべく係止する係止部にて構成したことを特徴とする請求項１２記載のプリーツスクリーン。
【発明の詳細な説明】
【技術分野】
【０００１】
この発明は、ジグザグ状に折り曲げ可能なスクリーンを昇降可能に吊下支持したプリーツスクリーンに関するものである。
【背景技術】
【０００２】
プリーツスクリーンは、上下方向にジグザグ状に折り曲げ可能なスクリーンを支持体から吊下支持し、そのスクリーンを操作装置により昇降して採光量を適宜に調節するものである。【０００３】
例えば特許文献１に開示されるように、上下方向中間部に折り目を設けた生地片の上下両端縁に接合片をそれぞれ設け、その接合片を他の生地の接合片に溶着等の手段により接合して、スクリーンを形成したものがある。そして、昇降コードはスクリーンの接合片部分に挿通されている。【０００４】
このように昇降コードを接合片部分に挿通することにより、昇降コードを挿通するための挿通孔から室内への外光の洩れが防止されている。【０００５】
また、スクリーンを下方に引き伸ばしたとき、スクリーンの折り目間隔を一定に保持するためのピッチ保持コードが、スクリーンの後方でヘッドボックスから吊下支持されている。
【先行技術文献】
【特許文献】
【０００６】
【特許文献１】特許第４８４５７９９号公報
【特許文献２】実開平６−４７５８４号公報
【発明の概要】
【発明が解決しようとする課題】
【０００７】
特許文献１に開示されたプリーツスクリーンでは、昇降コードの挿通孔からの室内への外光の洩れを防止することはできる。しかし、昇降コードをスクリーンの接合片の挿通孔及びピッチ保持コードの輪それぞれに通す作業が煩雑である。【０００８】
特許文献２に開示されたプリーツスクリーンでは、スクリーンの後方に吊下支持される伸び防止コードに支持されるプリーツ掛けのフックをスクリーンに設けられた底孔に挿通してスクリーンの折り目間隔を一定に保持する構成が開示されている。【０００９】
しかし、スクリーンに設けられた昇降コード孔に昇降コードが挿通されているため、昇降コード孔は昇降コードの直径以上の孔径が必要で、外光が昇降コード孔から室内に洩れる。しかも、プリーツスクリーンの下降に伴って個々のプリーツ片が昇降コードに対して斜めになることから、スクリーンに設ける昇降コード孔を昇降コードの直径よりも少なくとも前後方向に大きい孔径とする必要があり、このことがより光の洩れを発生させる要因の一つとなっていた。【００１０】
この発明の目的は、スクリーンの折り目間隔をあらかじめ設定された間隔に保持し、室内への外光の洩れを防止し、かつ組み立て作業を簡略化して製造コストを低減し得るプリーツスクリーンを提供することにある。
【課題を解決するための手段】
【００１１】
上記課題を解決するプリーツスクリーンは、ヘッドボックスと、該ヘッドボックスから吊下支持され上下方向にジグザグ状に折り畳み可能なスクリーンと、前記ヘッドボックスから吊下支持され前記スクリーンを昇降する昇降コードと、前記ヘッドボックスから吊下支持され前記スクリーンの折り目の間隔を保持するピッチ保持コードとを備えるプリーツスクリーンにおいて、前記昇降コードと前記ピッチ保持コードとは前記スクリーンの前後に分けて吊下支持され、前記ピッチ保持コードには複数の保持部が設けられ、該保持部が前記スクリーンを貫通し、前記保持部に前記昇降コードが挿通されている。【００１２】
上記プリーツスクリーンにおいて、前記保持部を、前記スクリーンに設けられた複数の挿通孔にそれぞれ挿通することが好ましい。【００１３】
上記プリーツスクリーンにおいて、前記挿通孔を、前記スクリーンの折り目に設けることが好ましい。【００１４】
上記プリーツスクリーンにおいて、前記挿通孔を、前記昇降コードと非接触となるように設けることが好ましい。【００１５】
上記プリーツスクリーンにおいて、前記挿通孔を、前記スクリーンの前記ピッチ保持コード側の折り目に設けることが好ましい。【００１６】
上記プリーツスクリーンにおいて、前記ピッチ保持コードを、糸を編んで形成した編み組みコードで形成し、前記ピッチ保持コードに編み込んだモノフィラメント糸を一定間隔ごとに環状に露出させて前記保持部を形成することが好ましい。【００１７】
上記プリーツスクリーンにおいて、前記各保持部を構成する糸を前記ピッチ保持コードから上下方向に一定の間隔を隔てた一対の位置からそれぞれ導出し、前記昇降コードを前記複数の保持部に対し左右方向に交互に挿通することが好ましい。【００１８】
上記プリーツスクリーンにおいて、前記スクリーンの下端に取着されたボトムレールを更に備え、前記昇降コードは前記スクリーンの前後に吊下支持された複数本の昇降コードを含み、前記昇降コードの下端に前記ボトムレールが取着され、前記ボトムレールを吊下支持する複数本の昇降コードを、前記スクリーンの前後方向において互い違いとなるように吊下支持することが好ましい。【００１９】
上記プリーツスクリーンにおいて、前記ピッチ保持コードと該ピッチ保持コードの保持部に挿通される前記昇降コードとによってコード対が形成され、複数のコード対が前記スクリーンの左右方向に並設され、少なくとも１つのコード対において、前記ピッチ保持コードの保持部を前記スクリーンの一段以上飛ばした折り目に設けた挿通孔に挿通することが好ましい。【００２０】
上記プリーツスクリーンにおいて、前記コード対の数が３以上の場合において、その並設方向の両側のコード対では、前記ピッチ保持コードの保持部を前記スクリーンの全段の折り目に設けた挿通孔に挿通し、それよりも内側のコード対では、その少なくとも１つが前記ピッチ保持コードの保持部を前記スクリーンの一段以上飛ばした折り目に設けた挿通孔に挿通することが好ましい。【００２１】
上記プリーツスクリーンにおいて、前記ピッチ保持コードは、所望屈曲部の曲げ強度を他の部分よりも低く構成した曲げ部を備えることが好ましい。【００２２】
上記プリーツスクリーンにおいて、前記ピッチ保持コードへ向かう前記スクリーンの移動を規制する移動規制手段を設けることが好ましい。【００２３】
上記プリーツスクリーンにおいて、前記移動規制手段を、前記ピッチ保持コードの保持部に設けられその保持コードへ向かう前記スクリーンの移動を規制すべく係止する係止部にて構成することが好ましい。【００２４】
尚、上記の他、前記スクリーンを、ジグザグ状に折り曲げ可能な一枚の生地で形成することも好ましい。【００２５】
また、前記ピッチ保持コードの保持部を、環状とすることも好ましい。【００２６】
また、前記挿通孔を前記昇降コードと非接触とすることについて、具体的には、前記挿通孔の位置、例えば前記挿通孔を前記スクリーンの前記ピッチ保持コード側の折り目に設けたり、前記挿通孔を前記スクリーンの折り目間に設けたり、前記昇降コードを前記挿通孔に対しスクリーンの左右方向にずらして垂下することが好ましい。また、前記昇降コードと挿通孔との間に何らかの介在物、例えば前記保持部の先端部を捻って交差部（介在物）を介して環状部を形成し該環状部に前記昇降コードを挿通したり、前記保持部の無端状の先端部を２本まとめて絡めることにより環状部（介在物）を形成し該環状部に前記昇降コードを挿通すること、等により挿通孔を昇降コードと非接触とすることも好ましい。【００２７】
また、前記挿通孔を、前記スクリーンの前記昇降コード側の折り目に設けることも好ましい。【００２８】
また、前記保持部の挿通に伴う前記スクリーンの孔を覆うのに対応した幅広の前記ピッチ保持コードを用いることも好ましい。【００２９】
また、前記コード対において、１つの前記保持部に対して複数本の前記昇降コードをともに挿通することも好ましい。【００３０】
また、前記挿通孔を、前記スクリーンの前記昇降コード側の折り目に設けたとき、前記移動規制手段としてスクリーンの前後に昇降コードを垂下させ保持することや、ピッチ保持コード各段の上下間隔より各段の保持部の付け根上下間隔を広げることも好ましい。また、別の段で昇降コードの張力によりスクリーンの前後への移動を直接又は間接的に規制する挿通孔を有する接合片や昇降コードガイドを設けることも好ましい。また、前記移動規制手段として、ピッチ保持コードに設けられた保持部の一つのループを複数の段の孔に挿通することも好ましい。
【発明の効果】
【００３１】
本発明によれば、スクリーンの折り目間隔をあらかじめ設定された間隔に保持し、室内への外光の洩れを防止し、かつ組み立て作業を簡略化して製造コストを低減することができる。
【図面の簡単な説明】
【００３２】
【図１】（ａ）は第一の実施形態のプリーツスクリーンを示す斜視図であり、（ｂ）は（ａ）の部分拡大図である。
【図２】（ａ）プリーツスクリーンを示す側面図であり、（ｂ）は（ａ）の部分拡大図であり、（ｃ）は（ｂ）の部分拡大図である。
【図３】スクリーンを示す下面図である。
【図４】第二の実施形態を示す下面図である。
【図５】第三の実施形態を示す下面図である。
【図６】（ａ）第四の実施形態を示す側面図であり、（ｂ）は（ａ）の部分拡大図である。
【図７】第四の実施形態を示す斜視図である。
【図８】第四の実施形態のピッチ保持コードを折り畳んだ状態を示す概略図である。
【図９】第四の実施形態のスクリーンを折り畳んだ状態を示す概略図である。
【図１０】（ａ）は第五の実施形態を示す側面図であり、（ｂ）は（ａ）の部分拡大図である。
【図１１】第五の実施形態を示す斜視図である。
【図１２】（ａ）は第六の実施形態を示す側面図であり、（ｂ）は（ａ）の部分拡大図である。
【図１３】第六の実施形態を示す斜視図である。
【図１４】（ａ）は第七の実施形態を示す側面図であり、（ｂ）は（ａ）の部分拡大図である。
【図１５】第七の実施形態を示す側面図である。
【図１６】（ａ）は第八の実施形態を示す側面図であり、（ｂ）は（ａ）の部分拡大図である。
【図１７】第九の実施形態を示す側面図である。
【図１８】第九の実施形態を示す斜視図である。
【図１９】第九の実施形態を示す正面図である。
【図２０】折り目の連れ上がりを示す正面図である。
【図２１】（ａ）は第十の実施形態を示す斜視図であり、（ｂ）は（ａ）の部分拡大図である。
【図２２】（ａ）は第十一の実施形態を示す斜視図であり、（ｂ）は（ａ）の部分拡大図である。
【図２３】（ａ）は第十二の実施形態を示す斜視図であり、（ｂ）は（ａ）の部分拡大図である。
【図２４】第十三の実施形態を示す側面図であり、（ａ）はピッチ保持コードのみの図、（ｂ）は組付状態を示す図である。
【図２５】第十四の実施形態を示す拡大図である。
【図２６】二重プリーツスクリーンを示し、（ａ）は第十五の実施形態を示す側面図、（ｂ）は第十六の実施形態を示す側面図である。
【図２７】第十七の実施形態を示す斜視図である。
【図２８】第十八の実施形態を示す斜視図である。
【図２９】（ａ）は同形態の側面図、（ｂ）は比較例を示す側面図、（ｃ）及び（ｄ）は変形例を示す側面図である。
【図３０】（ａ）は第十九の実施形態を示す斜視図であり、（ｂ）は（ａ）の部分拡大図である。
【図３１】（ａ）〜（ｃ）は移動規制手段の変形例を示す側面図である。
【図３２】（ａ）〜（ｃ）は移動規制手段の変形例を示す斜視図である。
【図３３】（ａ）は第二十の実施形態を示す斜視図であり、（ｂ）は（ａ）の部分拡大図である。
【発明を実施するための形態】
【００３３】
（第一の実施形態）
以下、プリーツスクリーンの第一の実施形態を図面に従って説明する。図１（ａ）に示すプリーツスクリーンは、ヘッドボックス１と、該ヘッドボックス１から吊下支持され上下方向にジグザグ状に折り曲げ可能なスクリーン２が、そのスクリーン２の下端に取着されたボトムレール３とを備える。前記スクリーン２は、１枚の生地をジグザク状に折り曲げて形成される。
【００３４】
図２（ａ）に示すように、前記ヘッドボックス１内には巻取軸４が操作装置（図示しない）の操作に基づいて回転可能に支持されている。この巻取軸４は、ヘッドボックス１の長手方向両端部近傍にそれぞれ設けられ、操作装置の操作と連動して動作する。
【００３５】
図１（ａ）に示すように、前記ヘッドボックス１の長手方向両端部近傍からそれぞれ昇降コード５が垂下され、その２本の昇降コード５の上端は前記巻取軸４に取着され、操作装置の操作により巻取軸４に巻取りあるいは巻戻し可能となっている。
【００３６】
前記昇降コード５は、前記スクリーン２の室外側に垂下され、昇降コード５の下端に前記ボトムレール３が取着されている。そして、昇降コード５が巻取軸４に巻き取られると、ボトムレール３が引き上げられてスクリーン２が上方に畳み込まれ、昇降コード５が巻取軸４から巻戻されると、ボトムレール３が下降してスクリーン２が下方へ引き伸ばされる。
【００３７】
前記昇降コード５の吊下位置の前方において、前記ヘッドボックス１からスクリーン２の室内側にピッチ保持コード６が垂下されている。前記ピッチ保持コード６の上端が前記ヘッドボックス１に取着され、ピッチ保持コード６の下端が前記ボトムレール３に取着されている。そして、ピッチ保持コード６は、昇降コード５が巻取軸４から巻戻されて、ボトムレール３が下限まで下降したとき、ほぼ緊張される長さに設定されている。
【００３８】
前記ピッチ保持コード６には、複数の環状の保持部７が等間隔に設けられている。前記ピッチ保持コード６は、縦糸が編み機で糸を編んで形成されるコードであり、その縦糸に保持部７を形成するため糸（モノフィラメント糸）が編みこまれている。そして、その糸が一定間隔毎に環状に露出されて、保持部７が形成されている。
【００３９】
前記スクリーン２には、前記昇降コード５に近接する折り目、すなわち室外側に向かって凸となる折り目のうち一段おきの折り目９には、前記保持部７を挿通可能な挿通孔（切込み）８が形成されている。この挿通孔８は、細い糸で形成される保持部７を挿通し得る程度の幅狭の切込みである。
【００４０】
そして、図２（ａ）〜図２（ｃ）及び図３に示すように、保持部７を室内側から挿通孔８に挿通し、室外側に露出された保持部７に昇降コード５が挿通されている。ピッチ保持コード６と該ピッチ保持コード６の保持部７に挿通された昇降コード５とは、コード対を形成する。二つのコード対がスクリーン２の左右方向に沿って並設されている。
【００４１】
このような構成により、図２（ａ）〜図２（ｃ）に示すようにボトムレール３を下限まで下降させたとき、各保持部７の先端部が昇降コード５に係合して、各保持部７で各折り目９を下方から支持する状態となり、スクリーン２の折り目が等間隔となるように保持される。また、スクリーン２の生地の材質によっては、スクリーン２の各折り目９から斜め上方に延びる部分が保持部７で支持される状態となる。
【００４２】
すなわち、保持部７の間隔は、スクリーン２を下限まで引き伸ばした状態での一段おきの折り目間隔に相当する間隔に設定され、保持部７の長さはほぼスクリーン２の折幅に昇降コード５の直径分を付加した長さに設定されている。
【００４３】
次に、上記のように構成されたプリーツスクリーンの作用を説明する。
【００４４】
図１（ａ）及び図２（ａ）に示すように、操作装置の操作により巻取軸４から昇降コード５を巻戻して、ボトムレール３を下限まで下降させると、スクリーン２が下方へ引き伸ばされる。このとき、ボトムレール３はその前後両縁において昇降コード５とピッチ保持コード６とによって支持されて、ボトムレール３の上面がほぼ水平方向となるように吊下支持されている。
【００４５】
また、ピッチ保持コード６の保持部７によりスクリーン２の室外側に凸となる折り目９が上下方向に等間隔に保持される。この結果、スクリーン２の各折り目がほぼ等間隔となるように保持される。
【００４６】
この状態から、巻取軸４で昇降コード５を巻き取ると、ボトムレール３が引き上げられてスクリーン２が上方に畳み込まれる。
【００４７】
上記のように構成されたプリーツスクリーンでは、次に示す効果を得ることができる。
【００４８】
（１）スクリーン２を昇降する昇降コード５がスクリーン２を挿通しないので、スクリーン２に昇降コード５を挿通するための挿通孔を設ける必要はない。従って、昇降コード５を挿通するための挿通孔から室内へ外光が洩れることはない。
【００４９】
（２）ピッチ保持コード６から延びて昇降コード５が挿通される保持部７でスクリーン２の一段おきの折り目９あるいは保持部７の上方で折り目９に連なるスクリーン２を支持することができるので、スクリーン２を下降させたとき、折り目の間隔をほぼ一定に保持することができる。
【００５０】
（３）保持部７を挿通する挿通孔８は、細い糸で形成される保持部７を挿通し得る程度の幅狭の切込みであるので（図面においては誇張して図示）、挿通孔８からの光洩れを少なくすることができる。
【００５１】
（４）スクリーン２はジグザグ状に折り畳み可能な一枚の生地で形成されるので、特許文献１に開示されるような生地片の接合工程を必要としない。従って、製造コストを抑制することができる。
【００５２】
（５）編み機で形成されたピッチ保持コード６の保持部７をスクリーン２の各挿通孔８に挿通し、その保持部７に昇降コード５を挿通することにより、ヘッドボックス１から吊下支持されるスクリーン部分の組み立てを容易に行うことができる。
【００５３】
（６）スクリーン２の挿通孔８に挿通された保持部７に昇降コード５が挿通され、その昇降コード５は常には緊張されているので、スクリーン２の左右方向の横ずれが防止されるとともに、保持部７及びピッチ保持コード６が横ずれすることもない。
【００５４】
（７）１段おきの折り目９に挿入した保持部７にのみ昇降コード５を挿入するため、昇降コード５の挿入工数を大幅に減少させることができる。
【００５５】
（第二の実施形態）
図４は、第二の実施形態を示す。第一の実施形態では、２本の昇降コード５をいずれもスクリーン２の室外側に吊下支持した。この第二の実施形態では、２本の昇降コード５の一方をスクリーン２の室内側に吊下支持し、他方をスクリーン２の室外側に垂下する。すなわち、ヘッドボックス１の両端部近傍から垂下される２本の昇降コード５及びピッチ保持コード６をスクリーン２の前後方向において互い違いとなるように吊下支持し、昇降コード５及びピッチ保持コード６の下端にボトムレール３を取着する。
【００５６】
ヘッドボックス１内には、操作装置の操作により、各昇降コード５を同時に巻取り、あるいは同時に巻戻す巻取り装置を備える。その他の構成は、第一の実施形態と同様である。
【００５７】
上記のような構成としたプリーツスクリーンでは、第一の実施形態で得られた効果に加えて、次に示す効果を得ることができる。
【００５８】
（１）スクリーン２を引き上げるとき、ボトムレール３を図２（ａ）に示すような前後方向に水平となる状態を維持しながら、ボトムレール３上にスクリーン２を積層した状態で上方へ畳み込むことができる。
【００５９】
（第三の実施形態）
図５は、第三の実施形態を示す。この実施形態は、昇降コード５及びピッチ保持コード６をヘッドボックス１の長手方向両端部近傍及び中央部に３本ずつ吊下支持する場合を示す。
【００６０】
この場合にも、ヘッドボックス１の長手方向において隣り合う昇降コード５及びピッチ保持コード６を、スクリーン２の前後方向に互い違いとなるように吊下支持し、各昇降コード５及びピッチ保持コード６の下端にボトムレール３を取着する。
【００６１】
このような構成により、第二の実施形態と同様な効果を得ることができる。
【００６２】
（第四の実施形態）
図６（ａ）〜図９は、第四の実施形態を示す。図６（ａ）並びに図６（ｂ）及び図７に示すように、ピッチ保持コード６に編み込まれて形成される各保持部７の２本の糸の導出位置Ｐ１，Ｐ２は、ピッチ保持コード６に対し上下方向に一定の間隔ｔを隔てた位置にある。
【００６３】
そして、保持部７はスクリーン２の室外側の折り目に設けられた挿通孔１１に挿通されるとともに、スクリーン２の室外側で昇降コード５が保持部７に挿通されている。挿通孔１１は、保持部７の２本の糸を挿通し得る程度の小さな径で形成される。
【００６４】
図７に示すように、昇降コード５は保持部７に対し左右方向において交互に挿通されている。その他の構成は、前記第一の実施形態と同様である。
【００６５】
次に、上記のように構成されたプリーツスクリーンの作用を説明する。
【００６６】
昇降コード５は、常にはボトムレール３若しくはボトムレール３とスクリーン２の重量が作用して緊張されている。すると、昇降コード５が挿通される保持部７には、導出位置Ｐ１，Ｐ２を水平方向に位置させようとする力が作用する。
【００６７】
図８に示すように、この状態でスクリーン２を上方へ畳み込むと、スクリーン２の室内側で畳み込まれるピッチ保持コード６において、上下方向に隣り合う各保持部７の導出位置Ｐ１，Ｐ２が、左右方向に交互に入れ替わる状態となる。これは、昇降コード５が保持部７に対し左右方向に交互に挿通されているからである。
【００６８】
この結果、図９に示すように、スクリーン２を上方へ畳み込んだとき、ピッチ保持コード６がスクリーン２の室内側で規則的に畳み込まれる状態となり易い。スクリーン２の室内側で、ピッチ保持コード６が不規則に畳み込まれると、このプリーツスクリーンの美観を損ねるが、この実施形態では美観の低下を防止することができる。
【００６９】
（第五の実施形態）
図１０（ａ）並びに図１０（ｂ）及び図１１は、第五の実施形態を示す。この実施形態は、スクリーン２の挿通孔１１に挿通した保持部７の先端部を捻って交差部１３を介して小さな環状部１２を形成し、その環状部１２に昇降コード５を挿通したものである。すなわち、交差部１３（挿通孔１１と昇降コード５との間の介在物）により、挿通孔１１の周囲部分が昇降コード５と非接触となるように設けられている。その他の構成は、第四の実施形態と同様である。
【００７０】
このような構成では、環状部１２に挿通された昇降コード５とスクリーン２の挿通孔１１との間に交差部１３が介在するので、スクリーン２の昇降操作時に昇降コード５と挿通孔１１の周囲部分とが摩擦し難くなる。
【００７１】
従って、スクリーン２の昇降操作を繰り返しても、挿通孔１１の周囲の折り目部分の磨耗を防止することができる。また、昇降コード５と挿通孔１１の周囲部分との摩擦を防止することができるので、スクリーン２の引き上げ操作時に上方へ移動する昇降コード５による挿通孔１１付近の折り目９の連れ上がり（折り目９が上方に波打つように湾曲する状態、図２０参照）を防止することができる。
【００７２】
（第六の実施形態）
図１２（ａ）並びに図１２（ｂ）及び図１３は、第六の実施形態を示す。この実施形態は、スクリーン２の挿通孔１１に挿通した保持部７の無端状の先端部を２本まとめて絡めることにより環状部１４を形成し、その環状部１４に昇降コード５が挿通されている。すなわち、挿通孔１１と昇降コード５との間の介在物としての交差部１５の存在により、挿通孔１１部分が昇降コード５と非接触となるように設けられている。その他の構成は、第四の実施形態と同様である。
【００７３】
このような構成では、環状部１４に挿通された昇降コード５とスクリーン２の挿通孔１１との間に交差部１５が介在するので、スクリーン２の昇降操作時に昇降コード５と挿通孔１１の周囲部分とが摩擦し難くなる。
【００７４】
従って、スクリーン２の昇降操作を繰り返しても、挿通孔１１の周囲の折り目部分の磨耗を防止することができる。また、昇降コード５と挿通孔１１の周囲部分との摩擦を防止することができるので、スクリーン２の引き上げ操作時に上方へ移動する昇降コード５による挿通孔１１付近の折り目の連れ上がりを防止することができる。
【００７５】
尚、上記第五の実施形態や第六の実施形態のように、保持部７に交差部１３，１５を形成する代わりに、同位置に設ける挿通孔１１と昇降コード５との間の介在物として、挿通孔１１より大きいカシメ部材を保持部７に設けたり、２枚のテープ部材を張り合わせて設ける等、別の部材を取着する態様とすることもできる。
【００７６】
（第七の実施形態）
図１４（ａ）並びに図１４（ｂ）及び図１５は、第七の実施形態を示す。この実施形態は、ピッチ保持コード６の保持部７をスクリーン２の各折り目間の中間部に挿通したものである。すなわち、挿通孔１６の周囲部分が昇降コード５と非接触となるように設けられている。その他の構成は第四の実施形態と同様である。
【００７７】
このような構成とすることにより、スクリーン２の昇降操作時に、昇降コード５と保持部７を挿通する挿通孔１６とが摩擦することはない。従って、挿通孔１６付近のスクリーン２の磨耗を防止することができる。また、スクリーン２の引き上げ操作時に、上方へ移動する昇降コード５による挿通孔１６付近の折り目の連れ上がりを防止することができる。
【００７８】
（第八の実施形態）
図１６（ａ）及び図１６（ｂ）は、第八の実施形態を示す。この実施形態は、ピッチ保持コード６の保持部７をスクリーン２の例えば室内側に凸となる折り目１７に設けた挿通孔１８に挿通したものである。すなわち、挿通孔１８の周囲部分が昇降コード５と非接触となるように設けられている。その他の構成は第四の実施形態と同様である。尚、ピッチ保持コード６及び昇降コード５の室内外の配置は逆でもよい。
【００７９】
このような構成とすることにより、スクリーン２の昇降操作時に、昇降コード５と保持部７が挿通される挿通孔１８とが摩擦することはない。従って、挿通孔１８付近のスクリーン２の磨耗を防止することができる。また、スクリーン２の引き上げ操作時に、上方へ移動する昇降コード５による挿通孔１８付近の折り目の連れ上がりを防止することができる。
【００８０】
また、スクリーン２を下降させたとき、挿通孔１８の位置とピッチ保持コード６との間隔Ｌ１が第七の実施形態の挿通孔１６とピッチ保持コード６との間隔Ｌ２より小さい。
【００８１】
第七の実施形態では、挿通孔１６とピッチ保持コード６との間隔Ｌ２が大きいため、スクリーン２の特定の折り目１７に対し、同折り目１７を上下方向に引き伸ばす方向の引っ張り力が作用すると、挿通孔１６の位置が保持部７上で図１４（ａ）に示す矢印Ａ方向に移動する。
【００８２】
すると、図１５に示すように、折り目１７の位置がピッチ保持コード６に向かって斜め上方に大きく移動して、折り目９，１７の挟み角αが大きくなる。そして、図１５に鎖線で示すように、室外側の折り目９の折方向が反転してしまうことがある。
【００８３】
この実施形態では、挿通孔１８の位置とピッチ保持コード６との間隔Ｌ１が小さいので、挿通孔１８の位置がピッチ保持コード６に向かって斜め上方へ移動しようとしても、その移動距離が限定される。
【００８４】
従って、スクリーン２の折り目９，１７の折角の変化を抑制し、かつ折方向の反転を防止することができる。
【００８５】
また、ピッチ保持コード６に向かって凸となる折り目１７に挿通孔１８を設けたので、スクリーン２を上方へ畳み込むとき、昇降コード５側に挿通孔を設ける場合に比較し、積層して畳まれるスクリーン２の各折り目間にピッチ保持コード６が緩んでジグザグ状に畳まれていくその縦糸が挟まれ難い。
【００８６】
従って、図９に示すように、ピッチ保持コード６を規則的に折り畳んだ状態で露出させることができるので、スクリーン２を上方へ畳み込んだ状態での美観を向上させることができる。更に、第四の実施形態のように挿通すると相乗効果を発揮する。
【００８７】
（第九の実施形態）
図１７〜図１９は、第九の実施形態を示す。この実施形態は、挿通孔１１に挿通された保持部７の無端縁に挿通する昇降コード５を、挿通孔１１に対しスクリーン２の左右方向にずらして垂下する構成としたものである。すなわち、挿通孔１１の周囲部分が昇降コード５と非接触となるように設けられている。その他の構成は、第四の実施形態と同様である。
【００８８】
このような構成により、昇降コード５と挿通孔１１の周囲部分との摩擦を防止することができるので、挿通孔１１の周囲の折り目部分の磨耗を防止することができる。また、昇降コード５と挿通孔１１の周囲部分との摩擦を防止することができるので、スクリーン２の引き上げ操作時に上方へ移動する昇降コード５による挿通孔１１付近の折り目の連れ上がりを防止することができる。
【００８９】
上記実施形態は、以下の態様で実施してもよい。
【００９０】
・保持部でスクリーンの折り目を２段おきあるいは３段おきに支持するようにしてもよい。
【００９１】
・すべての折り目を保持部で支持してもよい。このような構成とすることにより、スクリーンを畳み込んだ場合のピッチ保持コードの蛇行を抑制することができる。
【００９２】
・スクリーンは、その上部に折り目のない部分、すなわちジグザグ状に折り畳まない部分を設けてもよい。
【００９３】
また以下には、上記の他の実施形態として第十〜第二十の実施形態を示す。
【００９４】
（第十の実施形態）
図２１（ａ）及び図２１（ｂ）は、第十の実施形態を示す。この実施形態は、３本ずつの昇降コード５及びピッチ保持コード６を吊下支持する構成を有する。即ち、三つのコード対がスクリーン２の左右方向に沿って並設されている。ヘッドボックス１の長手方向両端部側では室内側にピッチ保持コード６が、室外側に昇降コード５が配置され、中央部では室内側に昇降コード５が、室外側にピッチ保持コード６が配置されている。そして、ヘッドボックス１の両端部側では、スクリーン２の室内側の折り目１７の全段の挿通孔１８にピッチ保持コード６の保持部７が挿通され、中央部では、スクリーン２の室外側の折り目９の一段おきの挿通孔８にピッチ保持コード６の保持部７が挿通されている。本形態の挿通孔８，１８は、ピッチ保持コード６の保持部７が挿通し得るだけの極小径の孔径となっており、ピッチ保持コード６から挿通孔８に向けて保持部７が収束しその小径の挿通孔８，１８に挿通されている。
【００９５】
このような構成の本実施形態では、スクリーン２の孔をピッチ保持コード６の保持部７を通すだけの小さな挿通孔８，１８としたことで該挿通孔８，１８での光洩れが極力抑えられる。これに加え、ヘッドボックス１の中央部に位置するピッチ保持コード６においては保持部７を挿通させる折り目９を飛ばす構成、すなわち挿通孔８の数が少なくて済むため、ピッチ保持コード６の数の多い本実施形態のような構成であっても挿通孔８での光洩れが極力抑えられ、遮光性に優れたものとすることができる。
【００９６】
また、上記の飛ばす構成としたことで、ピッチ保持コード６の保持部７の数も省略でき、挿通孔８に挿通する手間も軽減することができる。尚、ピッチ保持コード６の保持部７を挿通させる折り目９を一段飛ばしとしたが、二段以上飛ばしてもよい。また、ヘッドボックス１の中央部のピッチ保持コード６の保持部７（折り目９）を飛ばす構成としたが、ヘッドボックス１の両端部側のピッチ保持コード６の保持部７（折り目１７）を飛ばす構成としてもよい。また、両者を飛ばす構成としてもよい。
【００９７】
また、上記の飛ばす構成としたことで、スクリーン２のジグザグ状が崩れ易くなるのが懸念されるが、ヘッドボックス１の両端部側に位置するピッチ保持コード６の保持部７が全段の折り目１７の挿通孔１８に挿通させる構成（飛ばし無し）としていることから、スクリーン２の全体ではジグザグ状が崩れ難く、規則的なジグザグ形状を極力維持できるようになっている。
【００９８】
尚、ヘッドボックス１の両端部で垂下されるピッチ保持コード６において上記のように全段の挿通孔１８にピッチ保持コード６の保持部７を挿通したとしても、従来のスクリーンに設けられた挿通孔及びピッチ保持コードの輪それぞれに通す構造に比べて、昇降コード５の挿通工数が大幅に削減される効果は同様である。
【００９９】
また、中央部において室内側に昇降コード５を配置したことで室内側から見てピッチ保持コード６が露出せず、また両端部のピッチ保持コード６は室内側に露出するものの、全段の挿通孔１８にピッチ保持コード６の保持部７を挿通したことにより、畳み込み時におけるピッチ保持コード６の縦糸の折れ曲がり幅がスクリーン２のプリーツ山の頂点間隔の半分程度の短い幅となるため目立ち難く、畳み込み時にもすっきりとした美観が得られる。
【０１００】
また、上記の飛ばす構成とした場合には、スクリーン２の折曲げ角を６０°〜９０°に設定するのが好ましい。折幅が例えば１５ｍｍのように幅狭のスクリーン２の場合では、スクリーン２を下限まで下げた状態での折曲げ角を６０°に設定するというように、スクリーン２の折幅が小さいほどスクリーン２の折曲げ角を小さく設定すると、スクリーン２が適切に折り畳まれ易くなる。
【０１０１】
（第十一の実施形態）
図２２（ａ）及び図２２（ｂ）は、第十一の実施形態を示す。この実施形態は、４本ずつの昇降コード５及びピッチ保持コード６を吊下支持する構成を有する。即ち、四つのコード対がスクリーン２の左右方向に沿って並設されている。ヘッドボックス１の両端部側では室内側にピッチ保持コード６が、室外側に昇降コード５が配置され、中央部の二箇所では室内側に昇降コード５が、室外側にピッチ保持コード６が配置されている。そして、ヘッドボックス１の両端部側のピッチ保持コード６の保持部７は室内側の全段の折り目１７の挿通孔１８に挿通され、中央部二箇所のピッチ保持コード６の保持部７は室外側の一段おきの折り目９の挿通孔８に挿通されている。
【０１０２】
このような構成の本実施形態においても、第十の実施形態と同様な効果を得ることができる。
【０１０３】
（第十二の実施形態）
図２３（ａ）及び図２３（ｂ）は、第十二の実施形態を示す。この実施形態は、５本ずつの昇降コード５及びピッチ保持コード６を吊下支持する構成を有する。即ち、五つのコード対がスクリーン２の左右方向に沿って並設されている。ヘッドボックス１の両端部側では室内側にピッチ保持コード６が、室外側に昇降コード５が配置され、これより１つ内側の二箇所では室内側に昇降コード５が、室外側にピッチ保持コード６が配置されている。更に内側の中央部においては、室内側にピッチ保持コード６が、室外側に昇降コード５が配置されている。そして、ヘッドボックス１の両端部側及び中央部のピッチ保持コード６の保持部７は室内側の全段の折り目１７の挿通孔１８に挿通され、両端部と中央部との間の二箇所のピッチ保持コード６の保持部７は一段おきの室外側の折り目９の挿通孔８に挿通されている。
【０１０４】
このような構成の本実施形態においても、第十の実施形態と同様な効果を得ることができる。
【０１０５】
尚、７本以上の奇数本の場合も上記と同パターンの繰り返しでよい。
【０１０６】
また、昇降コード５及びピッチ保持コード６を各６本以上とする場合、例えば６本ずつの昇降コード５及びピッチ保持コード６を吊下支持する構成とした場合では、ヘッドボックス１の両端部側では、室内側にピッチ保持コード６が、室外側に昇降コード５が配置される。これより１つ内側の二箇所では、室内側に昇降コード５が、室外側にピッチ保持コード６が配置される。そして、更に内側の中央の二箇所では、再び室内側にピッチ保持コード６が、室外側に昇降コード５が配置される。
【０１０７】
例えば８本ずつの昇降コード５及びピッチ保持コード６を吊下支持する構成とした場合では、ヘッドボックス１の両端部側では、室内側にピッチ保持コード６が、室外側に昇降コード５が配置される。これより１つ内側の二箇所では、室内側に昇降コード５が、室外側にピッチ保持コード６が配置される。これより１つ内側の二箇所では、再び室内側にピッチ保持コード６が、室外側に昇降コード５が配置される。そして、更に内側の中央の二箇所では、再び室内側に昇降コード５が、室外側にピッチ保持コード６が配置される。
【０１０８】
（第十三の実施形態）
図２４（ａ）及び図２４（ｂ）は、第十三の実施形態を示す。この実施形態は、ピッチ保持コード６を縦糸の長手方向に保持部７が反るように、例えばピッチ保持コード６の縦糸から離間する保持部７の先端側の部分、即ち昇降コード５側の部分が上方に向けて反るように成形されている。
【０１０９】
例えば室外側にピッチ保持コード６、室内側に昇降コード５が配置される場合、スクリーン２の室外側の折り目９の挿通孔８にその上反りの保持部７が挿通されることで、スクリーン２がピッチ保持コード６側に寄った状態で支持され易くなる。そのため、スクリーン２の上昇時、室内側でのスクリーン２の折り目１７と昇降コード５との摩擦が低減され、スクリーン２の連れ上がりが防止される。
【０１１０】
（第十四の実施形態）
図２５は、第十四の実施形態を示す。この実施形態は、ピッチ保持コード６の保持部７間の中間部（所望屈曲部）に曲げ部２０を構成している。曲げ部２０は、他の部分よりも曲げ強度を低く構成している。例えば図２５のように、ピッチ保持コード６は、編み糸の縦糸２１と該縦糸２１に対して蛇行する態様で編み込まれた横糸２２とを有するものにおいて、曲げ部２０では数カ所の横糸２２を省略して、曲げ強度を低く構成している。そして、スクリーン２の折り畳みとともにピッチ保持コード６が畳み込まれる際に曲げ部２０にて積極的に折り曲がるようにし、図８のように、ピッチ保持コード６が規則的に折り畳まれ易くしている。
【０１１１】
このような構成の本実施形態では、ピッチ保持コード６を規則的に折り畳むことができ、室内側におけるプリーツスクリーンの美観の低下を防止することができる。全実施形態で効果があるが、特に第四、第八の実施形態と組み合わせることで相乗効果を発揮する。
【０１１２】
尚、ピッチ保持コード６自体の編み方を所望屈曲部において一部変更してその曲げ強度を低くしたが、一部切断する等、他の構成にて対応してもよい。
【０１１３】
（第十五の実施形態）
図２６（ａ）は、第十五の実施形態を示す。この実施形態は、二重プリーツスクリーンを示す。
【０１１４】
二重プリーツスクリーンは、ジグザグ状をなす例えば二種類のスクリーン２ａ，２ｂを共通のヘッドボックス１からその前後方向に重なるようにして吊下げ支持し、各スクリーン２ａ，２ｂの下端が共通のボトムレール３に取着されている。各スクリーン２ａ，２ｂは、側方視の中心線に対して線対称に配置、すなわち室内側のスクリーン２ａの室外側の折り目９と室外側のスクリーン２ｂの室内側の折り目１７とが対向するように配置されている。各スクリーン２ａ，２ｂ間には、共通の昇降コード５が巻取軸４から垂下され、該コード５の下端がボトムレール３に取着されている。
【０１１５】
室内側のスクリーン２ａの室内側及び室外側のスクリーン２ｂの室外側には、ヘッドボックス１からそれぞれピッチ保持コード６が垂下されている。室内側のピッチ保持コード６の保持部７は、室内側のスクリーン２ａの室内側の折り目１７の挿通孔１８に最下段以外の略全段で挿通され、環状をなすこの保持部７に共通の昇降コード５が挿通され、室内外のスクリーン２ａ，２ｂが一体的に保持されている。また、室外側のピッチ保持コード６の保持部７も同様に、室外側のスクリーン２ｂの室外側の折り目９の挿通孔８に最下段以外の略全段で挿通され、環状をなすこの保持部７に共通の昇降コード５が挿通されている。
【０１１６】
このような構成の本実施形態では、室内外のスクリーン２ａ，２ｂを同時に昇降させることができる。また、個々のスクリーン２ａ，２ｂの孔をピッチ保持コード６の保持部７を通すだけの小さな挿通孔８，１８としたことで該挿通孔８，１８での光洩れが極力抑えられるのに加え、スクリーン２ａ，２ｂを二重に重ねていることで、該挿通孔８，１８での光洩れが一層抑えられ、遮光性は一層高いものである。また、各スクリーン２ａ，２ｂ間に空気層が形成されることで、遮熱性の向上も期待できる。
【０１１７】
因みに、室内側のスクリーン２ａ及び室外側のスクリーン２ｂにおいて、ピッチ保持コード６の保持部７を挿通させる折り目９，１７を１段以上飛ばす構成としてもよい。また、このように飛ばす構成とした場合、室内側のスクリーン２ａと室外側のスクリーン２ｂとの挿通孔８，１８（保持部７を挿通させる位置）を上下方向でずらせば、遮光性をより一層高めることができる。
【０１１８】
（第十六の実施形態）
図２６（ｂ）は、第十六の実施形態を示す。巻取軸４ａ，４ｂ、昇降コード５、ボトムレール３ａ，３ｂがスクリーン２ａ，２ｂ毎に備えられ、各スクリーン２ａ，２ｂが独立して昇降可能となっている。
【０１１９】
このような構成の本実施形態では、独立したスクリーン２ａ，２ｂの昇降動作が可能で、しかも各スクリーン２ａ，２ｂ間に昇降コード５が配置されることで、スクリーン２ａ，２ｂの一方が折り畳まれる際にその一方側の山（折り目）が他方側の谷（折り目）に入り込まず、スムーズな昇降動作が可能である。また、二重のスクリーン２ａ，２ｂであるため、第十五の実施形態と同様に、遮光性及び遮熱性にも優れている。
【０１２０】
（第十七の実施形態）
図２７は、第十七の実施形態を示す。この実施形態では、上記の各実施形態で用いた紐状のピッチ保持コード６よりも幅広の例えばテープ状のピッチ保持コード６ａが用いられている。
【０１２１】
このような構成の本実施形態では、保持部７を挿通するためにスクリーン２の例えば室内側の折り目１７の挿通孔１８を、幅Ｗを有する幅広のピッチ保持コード６ａ自身で塞ぐこととなり、遮光性に優れている。
【０１２２】
（第十八の実施形態）
図２８及び図２９（ａ）は、第十八の実施形態を示す。この実施形態では、ピッチ保持コード６の保持部７のスクリーン２よりピッチ保持コード６の縦糸側にスクリーン２のピッチ保持コード６の縦糸側への移動を規制可能な係止部１０が設けられている。例えば、この係止部１０は、ピッチ保持コード６の縦糸より硬質で、縦糸より幅ｗ１が若干狭く、幅ｗ２が挿通孔８より十分大きく、保持部７より厚みｄが若干大きく形成され、ピッチ保持コード６の保持部７の先端側所定箇所に予め固着されて構成されている。保持部７をモノフィラメント糸とした場合でも、係止部１０を融着糸とすることで加熱により固着することができる。そして、例えばスクリーン２の室内側にピッチ保持コード６が、室外側に昇降コード５がそれぞれ配置される場合、スクリーン２の室外側の折り目９の挿通孔８に室内側から室外側に保持部７を挿通し、挿通後の保持部７に昇降コード５が挿通される。保持部７の係止部１０は、スクリーン２の挿通孔８の室内側の周縁部と係止可能である。
【０１２３】
ここで、例えば図６を参照すると、スクリーン２の引き上げ途中においては、そのスクリーン２下端のボトムレール３を引き上げる昇降コード５は常に緊張状態にあるが、ピッチ保持コード６は畳み込まれた付近から緊張状態でなくなるため、スクリーン２が昇降コード５からピッチ保持コード６に向かって逃げ易い状況となっている。特にこのことは、スクリーン２がジグザグ状に開いた下降状態で長期間の日射の影響によりスクリーン２の柔軟性が低下し、スクリーン２の折り畳み抵抗が増大する場合において生じ易い。図２９（ｂ）に係止部１０の無い柔軟性が低下したスクリーン２での比較例を示すが、図中の矢印のようにスクリーン２の一部が大きく逃げると、その後のスクリーン２の引き上げに伴う折り畳み動作に支障を来す虞がある。
【０１２４】
これを踏まえ、本実施形態では、昇降コード５と保持部７の係止部１０とによりスクリーン２の移動が規制、特に昇降コード５からピッチ保持コード６に向かってスクリーン２が逃げようとすると係止部１０によりその移動が規制されることから、スクリーン２の引き上げに伴う折り畳みを常に良好に行うことができる。
【０１２５】
尚、係止部１０を融着糸で構成したが、これ以外の構成にて対応してもよい。例えば、薄板状のかしめ部材の保持部７への装着、粘着テープの保持部７への貼着、保持部７自体に左右方向に突出した屈曲部を設けてもよい。また、室内側の構成と室外側の構成とは逆に配置されてもよい。
【０１２６】
また、係止部１０を保持部７に予め固着せず、例えば保持部７を挿通孔８に挿通し昇降コード５を挿通した後に、係止部１０を保持部７に固着する態様としてもよい。
【０１２７】
また図２９（ｃ）に示すように、スクリーン２の谷形状と同等となるように保持部７の付け根間を上下方向に広げた態様とすることで、スクリーン２の移動規制を行うこともできる。この例での移動規制手段（移動規制部）としては、図２９（ｃ）のように、隣接する各段の保持部７の一端及び他端を交差させる交差部１９を設けることや、図２９（ｄ）のように、ピッチ保持コード６の保持部７の各段の上下間隔ｘ１より、各段それぞれの保持部７の一対の付け根の上下間隔ｘ２を広げることで実現できる。例えば、図２９（ｄ）では、ｘ１を５ｍｍ、ｘ２を３５ｍｍとし、スクリーン２の折曲げ角α１が９０°に対し、ピッチ保持コード６の保持部７の広がり角α２が狭角の６０°に設定されている。
【０１２８】
（第十九の実施形態）
図３０（ａ）及び図３０（ｂ）は、第十九の実施形態を示す。この実施形態では、ヘッドボックス１の両側それぞれにおいて、スクリーン２の室外側（室内側でも可）にピッチ保持コード６が配置され、昇降コード５がスクリーン２の室外側と室内側との両方に配置されている。また、ヘッドボックス１の各端部においてスクリーン２の室内外の両方に配置される各昇降コード５は、それぞれ１本のコードを以てループ状に構成されている。
【０１２９】
この昇降コード５は、例えば基端がヘッドボックス１に室外側部分に固定され、そこからスクリーン２の室外側を通ってボトムレール３の室外側部分から内部に通される。次いで、ボトムレール３の内部を通された昇降コード５は、ボトムレール３の室内側部分から外部に導出され、スクリーン２の室内側を通ってヘッドボックス１の室内側部分から内部に通される。次いで、ヘッドボックス１の内部を通された昇降コード５は、該ヘッドボックス１の所定箇所からその先端が垂下されている。このようにスクリーン２の室内外を通る昇降コード５はピッチ保持コード６の保持部７に挿通されるが、その際、室内側の昇降コード５のみを保持部７に挿通させてもよく、また図３０（ａ）及び図３０（ｂ）のように室外側の昇降コード５も保持部７に挿通させてもよい。そして、ヘッドボックス１の各端部の昇降コード５はそれぞれ同様に張り巡らされ、各先端同士が一つに纏められる。
【０１３０】
このような構成の本実施形態では、ヘッドボックス１の両側においてスクリーン２の室内外にそれぞれ配置される昇降コード５にてスクリーン２を前後方向に挟む態様（移動規制手段）としたことから、緊張状態にある前後の昇降コード５によりスクリーン２のピッチ保持コード６への移動規制がなされ、スクリーン２が適切に折り畳まれ、意匠性向上にも貢献できる。
【０１３１】
しかも、スクリーン２の室内外に配置される昇降コード５を１本でループ状に構成することから、ボトムレール３の水平維持を図ることができ、操作力も軽減できる。
【０１３２】
尚、ヘッドボックス１の両端部において昇降コード５をボトムレール３内で通して前後に対で配置するようにしたが、前後で別の昇降コード５（移動規制手段、即ち移動規制部）をそれぞれ用意し、前後の昇降コード５をそれぞれボトムレール３に固定して、同時に引上げ可能又は同時に巻取可能とするようにしてもよい。
【０１３３】
尚、第十八及び第十九の実施形態に示す移動規制手段の他、図３１（ａ）〜図３１（ｃ）及び図３２（ａ）〜図３２（ｃ）のようにしてもよい。
【０１３４】
図３１（ａ）〜図３１（ｃ）では、ピッチ保持コード６の保持部７の挿入段とは異なる段において昇降コード５と前後方向に直接又は間接的に係止し、昇降コード５の張力によりスクリーン２の前後への移動規制を行うものである。
【０１３５】
具体的には、図３１（ａ）及び図３１（ｂ）では、ピッチ保持コード６とは反対側（昇降コード５側）のスクリーン２の折り目１７から接合片２３が延設され、該接合片２３の挿通孔２４に昇降コード５が挿通されることで、スクリーン２のピッチ保持コード６側への移動規制を行うものである。尚、図３１（ａ）は、接合片２３が三段おきの折り目１７に設けられ、ピッチ保持コード６側の一段おきの折り目９の挿通孔８から保持部７が挿通されている。図３１（ｂ）は、接合片２３が一段おきの折り目１７に設けられ、隣接の接合片２３間の昇降コード５側のスクリーン２の折り目１７の挿通孔１８から保持部７が挿通されている。
【０１３６】
図３１（ｃ）では、別部材の係止部材２５が用いられ、該係止部材２５の挿通孔２６に昇降コード５が挿通され、係止部材２５の係止部２７がピッチ保持コード６とは反対側（昇降コード５側）のスクリーン２の折り目１７部分に係止する態様である。この構成でも、スクリーン２のピッチ保持コード６側への移動規制が可能である。
【０１３７】
また図３２（ａ）〜図３２（ｃ）では、ピッチ保持コード６の保持部７のスクリーン２及び昇降コード５に対する掛装態様にて、スクリーン２のピッチ保持コード６側への移動規制を行うものである。ピッチ保持コード６に設けられた保持部７の一つのループを複数の段の孔に跨って挿通することで実現可能である。
【０１３８】
具体的には、図３２（ａ）では、ピッチ保持コード６の縦糸からスクリーン２の山の半分程度の高さ離間した一対の基端部を有する一つのループ状の保持部７が用いられる。次いで、ピッチ保持コード６側のスクリーン２の折り目１７の挿通孔１８から保持部７をピッチ保持コード６とは反対側に導出させて第１環状部２８を形成し、一段下のピッチ保持コード６とは反対側（昇降コード５側）のスクリーン２の折り目９の挿通孔８からも保持部７をピッチ保持コード６とは反対側に導出させて第２環状部２９を形成する。そして、この第１及び第２環状部２８，２９に昇降コード５がそれぞれ挿通される。
【０１３９】
図３２（ｂ）では、ピッチ保持コード６の縦糸からスクリーン２の隣接の山間程度の高さ離間した一対の基端部を有する一つのループ状の保持部７が用いられる。次いで、ピッチ保持コード６側のスクリーン２の折り目１７の挿通孔１８から保持部７をピッチ保持コード６とは反対側に導出させて第１環状部２８を形成し、一段下のピッチ保持コード６側のスクリーン２の折り目１７の挿通孔１８からも保持部７をピッチ保持コード６とは反対側に導出させて第２環状部２９を形成する。そして、この第１及び第２環状部２８，２９に昇降コード５がそれぞれ挿通される。
【０１４０】
図３２（ｃ）では、ピッチ保持コード６の縦糸からスクリーン２の隣接の谷間程度の高さ離間した一対の基端部を有する一つのループ状の保持部７が用いられる。次いで、ピッチ保持コード６とは反対側（昇降コード５側）のスクリーン２の折り目９の挿通孔８から保持部７をピッチ保持コード６とは反対側に導出させて第１環状部２８を形成し、一段下のピッチ保持コード６とは反対側のスクリーン２の折り目９の挿通孔８からも保持部７をピッチ保持コード６とは反対側に導出させて第２環状部２９を形成する。そして、この第１及び第２環状部２８，２９に昇降コード５がそれぞれ挿通される。
【０１４１】
上記図３２（ａ）〜図３２（ｃ）の態様では、挿通孔１８，８間、挿通孔１８，１８間、挿通孔８，８間に位置する保持部７の一部７ａ，７ｂ，７ｃがそれぞれスクリーン２と係止することで、スクリーン２のピッチ保持コード６側への移動規制が可能である。
【０１４２】
（第二十の実施形態）
図３３（ａ）及び図３３（ｂ）は、第二十の実施形態を示す。この実施形態のペア型プリーツスクリーンは、ジグザグ状をなす例えば二種類のスクリーン２ｃ，２ｄが中間レール３ｃを介して上下に並設されている。尚、図３３（ａ）は手前が室外側として図示している。
【０１４３】
ヘッドボックス１と中間レール３ｃとの間と、中間レール３ｃとボトムレール３との間とのそれぞれにおいて、ヘッドボックス１の両側では室内側に、中央部では室外側にそれぞれピッチ保持コード６が配置されている。本形態では、ピッチ保持コード６の保持部７は、スクリーン２ｃ，２ｄの一段飛ばした折り目９，１７の挿通孔８，１８を挿通している。尚、飛ばしの態様は適宜変更してもよい。
【０１４４】
また、ヘッドボックス１の両側で室外側に配置される第一及び第二の昇降コード５ａ，５ｂは、ヘッドボックス１から中間レール３ｃまでは保持部７にともに挿通され、中間レール３ｃからボトムレール３までは第二の昇降コード５ｂのみが挿通されている。ヘッドボックス１の中央部で室内側に配置される第一及び第二の昇降コード５ａ，５ｂについても同様となっている。
【０１４５】
このような構成の本実施形態においても、スクリーン２ｃ，２ｄの孔をピッチ保持コード６の保持部７を通すだけの小さな挿通孔８，１８としたことで該孔８，１８での光洩れが極力抑えられ、遮光性に優れたペア型プリーツスクリーンとして提供できる。また、中間レール３ｃをボトムレール３で押し上げた動作を行っても、保持部７により上側のスクリーン２ｃ用の昇降コード５ａの弛みの発生は抑えられる。
【０１４６】
尚、上記各実施形態は、吊下げ型のプリーツスクリーンであったが、ボトムアップ型のプリーツスクリーンに適用してもよい。例えば第二十の実施形態の上側のスクリーン２ｃ及び上側のピッチ保持コード６を無くすことにより可能である。
【０１４７】
また、上記各実施形態のピッチ保持コードの上端の固定について、ヘッドボックスに直接取着するか、若しくはヘッドボックスに固定される部品（スクリーン上端をヘッドボックスに固定する長尺部材である生地押えや内部駆動部品を支持するサポート、更にはキャップ等）に取着し、ヘッドボックスに対して間接的に取着させてもよい。
【０１４８】
また、ピッチ保持コードの保持部をモノフィラメント糸に代えて、マルチフィラメント糸、スパン糸等、その他の糸としてもよい。
【０１４９】
また、上記各実施形態では、スクリーンの挿通孔をピッチ保持コードの保持部の挿通と同時に形成される態様であってもよく、また予めスクリーンに挿通孔を形成しておく態様であってもよい。また、スクリーンを構成する縦糸と横糸とを切らずに、各糸間の隙間を拡大して挿通孔を形成してもよい。こうすることにより例えば第一の実施形態のように昇降コードが挿通孔に接しても、スクリーンの縦糸と横糸のほつれが低減され、耐久性が向上する。
【０１５０】
また、ピッチ保持コードの保持部を、縦糸から１本で突出させスクリーン（生地）に貫通する箇所は１本のみとして昇降コード挿入箇所のみに小ループ（環状部）を形成することで、スクリーンの挿通孔と昇降コードとの間に小ループが介在物として存在して、挿通孔周縁部の磨耗を防止可能である。
【０１５１】
また上記各実施形態では、ピッチ保持コードの保持部を予め縦糸に編みこんだ形態としたが、ピッチ保持コードの縦糸と保持部とを分離して形成し、後に縦糸と保持部とを係止する態様としてもよい。この場合、予め保持部のみスクリーンの挿通孔への挿通を行っておき、後から縦糸と保持部とを係止させてもよい。縦糸と保持部とを係止するには、縦糸に所定間隔毎に保持部を係止可能な係止部材を縦糸に成型する等の方法により行うことができる。
【０１５２】
なお、図面に示される装飾的意匠は、本発明の一態様である。
【符号の説明】
【０１５３】
１…ヘッドボックス、２，２ａ，２ｂ，２ｃ，２ｄ…スクリーン、３，３ａ，３ｂ…ボトムレール、５，５ａ，５ｂ…昇降コード、６，６ａ…ピッチ保持コード、７…保持部、８，１１，１６，１８，２４…挿通孔、９，１７…折り目、１０…係止部、２０…曲げ部。
【図１】
2014038577.tif 000003
【図２】
2014038577.tif 000004
【図３】
2014038577.tif 000005
【図４】
2014038577.tif 000006
【図５】
2014038577.tif 000007
【図６】
2014038577.tif 000008
【図７】
2014038577.tif 000009
【図８】
2014038577.tif 000010
【図９】
2014038577.tif 000011
【図１０】
2014038577.tif 000012
【図１１】
2014038577.tif 000013
【図１２】
2014038577.tif 000014
【図１３】
2014038577.tif 000015
【図１４】
2014038577.tif 000016
【図１５】
2014038577.tif 000017
【図１６】
2014038577.tif 000018
【図１７】
2014038577.tif 000019
【図１８】
2014038577.tif 000020
【図１９】
2014038577.tif 000021
【図２０】
2014038577.tif 000022
【図２１】
2014038577.tif 000023
【図２２】
2014038577.tif 000024
【図２３】
2014038577.tif 000025
【図２４】
2014038577.tif 000026
【図２５】
2014038577.tif 000027
【図２６】
2014038577.tif 000028
【図２７】
2014038577.tif 000029
【図２８】
2014038577.tif 000030
【図２９】
2014038577.tif 000031
【図３０】
2014038577.tif 000032
【図３１】
2014038577.tif 000033
【図３２】
2014038577.tif 000034
【図３３】
2014038577.tif 000035
【国際調査報告】
2014038577.tif 000036
2014038577.tif 000037